(57)【特許請求の範囲】
【請求項１】
屋根部材の上面に固定されて屋根上設置物を取付けるための固定用枠体を支持する支持装置であって、
屋根部材の上面に沿って固定される基板と該基板の上面側に突設されて前記固定用枠体の取付け金具等を固止する支持部とを備え、前記基板には前記屋根部材から屋根の下地材にかけてねじ込み等される釘ねじ等の挿通孔を形成し、該基板の裏面側には所望厚さのクッション部材を貼着し、このクッション部材における前記挿通孔が位置する部位には所望のコーキング材が充填される空所を該挿通孔と連通状態で形成し、
前記基板を屋根部材に固定するに際し、前記釘ねじ等のねじ込みに伴ってクッション部材に形成の空所内に充填されたコーキング材が前記基板の挿通孔から下地材のねじ込み部位に至る釘ねじ等の外周に付着されるとともに、そのねじ込み部位の周囲に盛上げ状に形成されることを特徴とする屋根に設置される屋根上設置物の固定用枠体の支持装置。
【請求項２】
基板は屋根面に露出する屋根部材の上面の形状に合致する形状に形成されていることを特徴とする請求項１記載の屋根に設置される屋根上設置物の固定用枠体の支持装置。
【請求項３】
前記屋根部材は、屋根の下地材との間において、該屋根部材から下地材に対し前記釘ねじ等が位置される部位を所望の空間部となす形状に形成されていることを特徴とする請求項１記載の屋根に設置される屋根上設置物の固定用枠体の支持装置。
【発明の詳細な説明】
【０００１】
【発明の属する技術分野】
本発明は、屋根に設置される太陽光発電パネルや温水器等（以下、本明細書においては、これらを総称して屋根上設置物という。）を取付けるための固定用枠体の支持装置に関する。
【０００２】
【従来の技術】
一般に、この種の支持装置にあっては、瓦等の屋根部材の上面に対して該支持装置を構成する基板を定置するとともに、その基板を屋根部材から屋根の下地材（該下地材の上面には防水用のルーフィング部材が設けられる）にかけて釘ねじ等により固定しているのが現状である。
【０００３】
【発明が解決しようとする課題】
しかしながら、上記したものにあっては、支持装置の基板を固定するための釘ねじ等がルーフィング部材を破り下地材を貫通してねじ込み等されるものであるから、当該屋根部材と釘ねじ等の間において十分な止水対策を講じたとしても他の個所からの雨水が屋根部材の裏側に侵入した場合は、該雨水がルーフィング部材及び下地材に対する釘ねじ等とのねじ込み部位から屋根裏側にしみ込こんでしまうという不具合が生起するものであった。
そこで、本発明は、支持装置の基板を固定するための釘ねじ等回りの止水性を良化向上することができる屋根上設置物の固定用枠体の支持装置を提供することを課題とするものである。
【０００４】
【課題を解決するための手段】
上記した課題を達成するために、請求項１に記載された発明は、屋根部材の上面に固定されて屋根上設置物を取付けるための固定用枠体を支持する支持装置であって、
屋根部材の上面に沿って固定される基板と該基板の上面側に突設されて前記固定用枠体の取付け金具等を固止する支持部とを備え、前記基板には前記屋根部材から屋根の下地材にかけてねじ込み等される釘ねじ等の挿通孔を形成し、該基板の裏面側には所望厚さのクッション部材を貼着し、このクッション部材における前記挿通孔が位置する部位には所望のコーキング材が充填される空所を該挿通孔と連通状態で形成し、
前記基板を屋根部材に固定するに際し、前記釘ねじ等のねじ込みに伴ってクッション部材に形成の空所内に充填されたコーキング材が前記基板の挿通孔から下地材のねじ込み部位に至る釘ねじ等の外周に付着されるとともに、そのねじ込み部位の周囲に盛上げ状に形成されることを要旨とする。
【０００５】
上記した構成によれば、支持装置を構成する基板を屋根部材に対して固定するに際し、基板の裏面側に貼着されたクッション部材の空所内に、予めコーキング材を充填しておき、そして、該基板の挿通孔に挿通されて屋根部材から屋根の下地材にかけてねじ込み等される釘ねじ等の外周に該コーキング材を付着させることにより、該コーキング材がその下地材（上面のルーフィング部材とともに）に対するねじ込む部位周囲（下地材の上面側）に盛上げられ、その一部がねじ込み部位に介在されるものである。
したがって、盛上げられたコーキング材によって雨水がルーフィング部材及び下地材に対する釘ねじ等のねじ込み部位から屋根裏側にしみ込こむことを防止し、支持装置の基板を固定するための釘ねじ等回りの止水性を良化向上する。
【０００６】
請求項２に記載の発明は、請求項１に記載の屋根上設置物の固定用枠体の支持装置であって、基板は屋根面に露出する屋根部材の上面の形状に合致する形状に形成されていることを要旨とする。
【０００７】
上記した構成によれば、屋根部材の上面に沿って支持装置を構成する基板を定置することができ、該基板の固定姿勢（状態）を良化向上することができる。
【０００８】
請求項３に記載の発明は、請求項１に記載の屋根上設置物の固定用枠体の支持装置であって、前記屋根部材は、屋根の下地材との間において、該屋根部材から下地材に対し前記釘ねじ等が位置される部位を所望の空間部となす形状に形成されていることを要旨とする。
【０００９】
上記した構成によれば、前述した請求項１と同様に支持装置の基板を固定するための釘ねじ等回りの止水性を良化向上する。
【００１０】
【発明の実施の形態】
以下、本発明を具体化した実施の形態を図にしたがって詳述する。
図において、固定用枠体の支持装置１は、瓦等の屋根部材Ｗ側に固定される基板２と、該基板２上のほぼ中央部位に突設されかつ該屋根部材Ｗの上面に設置される屋根上設置物を取付けるための固定用枠体（ともに図示しない）を取付け金具（図示しない）を介して固止する門形状に曲折形成された支持部３とからその主体部が構成されている。
【００１１】
前記基板２は、ほぼ矩形（図では、長方形）の平板状からなり、その横断面形状（対応する屋根部材Ｗの幅方向の形状）が固定される一つの屋根部材Ｗの上面形状と合致する形状（本実施の形態においては平板瓦の突出部を含む形状）に曲折形成されており、その平面部２ａの上面側のほぼ中央の長手方向には、所定の間隔おいて膨出部４〜４が一体状に複数個（本実施の形態においては３個の場合を示す。）形出され、該膨出部４〜４には釘ねじＴ等を挿通するための挿通孔５〜５が貫設されている。
【００１２】
なお、屋根部材Ｗに対する基板２の固定位置は、雨水が流れる部位を避けた屋根部材Ｗの高位の位置（突出部）が望ましく、したがって、前記横断面形状は、屋根部材Ｗの高位の位置（突出部）に対応する形状が好ましい。
【００１３】
前記基板２における平面部２ａの裏面側の長手方向全体には、所望厚さの矩形状に形成されたスポンジ、ゴム、発泡ゴム等からなるクッション部材６が貼着されており、このクッション部材６における前記挿通孔５〜５と合致する部位には、例えば、円形状の空所７〜７が該挿通孔５〜５と連通状態で貫設されている。そして、この各空所７〜７内には屋根部材Ｗに対する基板２の固定時に際してコ−キング材Ｋが充填されるものである。
【００１４】
上述のように構成された固定用枠体の支持装置１を屋根部材Ｗに固定する場合について説明する。
まず、固定すべき支持装置１の基板２を屋根部材Ｗの上面に対しその形状を合せた状態で載置して、その基板２の外形並びに各挿通孔５〜５の位置を屋根部材Ｗ側にマーキングして、該屋根部材Ｗのマーキングした各挿通孔５〜５の部位を穴あけ加工する。
【００１５】
そして、支持装置１の基板２におけるクッション部材６における各空所７〜７内にコ−キング材Ｋをそれぞれ充填し、前記マーキングした外形に合せて基板２を屋根部材Ｗの上面に載置する。なお、この空所７〜７と連通する各挿通孔５〜５内にも必然的にコ−キング材Ｋが充填されることになる。
【００１６】
そこで、止水用の座Ｔａを備えた釘ねじＴ等を前記各挿通孔５〜５から前述のように屋根部材Ｗの穴あけした部位を経て挿通するとともに、ルーフィング部材Ｌ及び下地材ＬＡに対してねじ込むことにより該支持装置１の基板２を屋根部材Ｗに固定する。
【００１７】
この場合、クッション部材６の各空所７〜７内に充填（基板２の各挿通孔５〜５内にも充填）されているコ−キング材Ｋが釘ねじＴ等の外周に付着され、該釘ねじＴ等がルーフィング部材Ｌ及び下地材ＬＡにねじ込まれるときに、そのねじ込み部位の周囲にほぼ山状に盛上げられ、その一部がねじ込み部位に介在されるものである。
【００１８】
したがって、盛上げられたコーキング材Ｋによって雨水がルーフィング部材Ｌ及び下地材ＬＡに対する釘ねじＴ等のねじ込み部位から屋根裏側にしみ込こむことを防止するものである。
【００１９】
そして、屋根部材Ｗ側にあっては、挿通孔５〜５が膨出部４〜４に形成されていること、釘ねじＴ等の止水用の座Ｔａが膨出部４〜４の上面に圧着されること、該釘ねじＴ等にクッション部材６の空所７〜７内のコーキング材Ｋが付着されることによって、当該部位からの雨水のしみ込みを防止するものであり、前述の盛上げられコーキング材Ｋによる止水効果と相俟って支持装置１の基板２を固定するための釘ねじＴ等回りの止水性を良化向上するものである。
【００２０】
また、基板２のクッション部材６により当該支持装置１及び外支持装置１に支持固定された固定用の枠体、屋根上設置物からの屋根部材Ｗの保護をなし得るものであることは勿論のことである。
【００２１】
なお、支持装置１の基板２の形状は、図示のものに限定するものではなく、種々の屋根部材Ｗの上面形状と合致する横断面形状（屋根部材の幅方向の形状）に形成するものであり、この場合は、屋根部材Ｗに対する基板２の固定姿勢（状態）を良化向上することができる。しかし、必ずしも、これに限定するものではなく、屋根部材Ｗの上面形状と合致する形状以外の形状とすることもできる。
【００２２】
また、基板２上に突設された支持部３の形状も図示のものに限定するものではなく、固定用の枠体の取付け金具に対応する形態であればよい。
【００２３】
【発明の効果】
請求項１の発明にあっては、盛上げられたコーキング材によって雨水がルーフィング部材及び下地材に対する釘ねじ等のねじ込み部位から屋根裏側にしみ込こむことを防止することができ、支持装置の基板を固定するための釘ねじ等回りの止水性を良化向上し得る。
【００２４】
請求項２に記載の発明にあっては、屋根部材の上面に沿って基板を定置することができ、該基板の固定姿勢（状態）を良化向上することができる。
【００２５】
請求項３に記載の発明にあっては、挿通孔が基板の上面側に突出された膨出部に形成されていること、該挿通孔に挿通される釘ねじ等の外周にクッション部材の空所内のコーキング材が付着することによって、当該部位からの雨水がしみ込みことを防止でき、その結果、請求項１と同様に支持装置の基板を固定するための釘ねじ等回りの止水性を良化向上し得る。
【図面の簡単な説明】
【図１】  実施の形態を示す支持装置の斜視図である。
【図２】  同じく、支持装置を裏面から見た斜視図である。
【図３】  使用状態を示す縦断面図である。
【図４】  同じく、使用状態を示す横断面図である。
【符号の説明】
１  支持装置
２  基板
３  支持部
４  膨出部
５  挿通孔
６  クッション材
７  空所
Ｋ  コ−キング材
ＬＡ  下地材
Ｔ  釘ねじ
Ｗ  屋根部材
【図１】
0003953339.tif 000002
【図２】
0003953339.tif 000003
【図３】
0003953339.tif 000004
【図４】
0003953339.tif 000005